(57)【要約】【課題】中空ＰＣ鋼材の定着強度を向上させ、低強度コンクリートの使用に対応させることができるようにする。【解決手段】プレストレス力が付与された中空ＰＣ鋼材２を備え、この中空ＰＣ鋼材２の先端部２ａからほぼ中間部に亘って雄ねじ部３を形成するとともに、この雄ねじ部３の先端部３ａに、定着ナット４を装着したプレストレス力導入装置において、前記中空ＰＣ鋼材２の雄ねじ部３に、少なくとも一つの支圧部材としての薄肉ナット４１を、定着ナット４から間隔をおいて離して螺着する。【選択図】  図１
2007262808.tif 000002
【特許請求の範囲】
【請求項１】
プレストレス力が付与された中空ＰＣ鋼材を備え、該中空ＰＣ鋼材の先端部からほぼ中間部に亘って雄ねじ部を形成するとともに、前記中空ＰＣ鋼材の先端部に、定着ナットを装着したプレストレス力導入装置において、
前記中空ＰＣ鋼材の雄ねじ部に、少なくとも一つの支圧部材を、前記定着ナットから間隔をおいて離して配置したことを特徴とするプレストレス力導入装置。
【請求項２】
前記支圧部材を、前記中空ＰＣ鋼材の雄ねじ部に螺合可能で前記定着ナットよりも薄い薄肉ナットにより構成したことを特徴とする請求項１に記載のプレストレス力導入装置。
【請求項３】
コンクリート打設前の構造物に、プレストレス力が付与された中空ＰＣ鋼材を備えたプレストレス力導入装置を配置し、前記中空ＰＣ鋼材の先端部からほぼ中間部に亘って形成された雄ねじ部の先端部に、定着ナットを螺着するとともに、コンクリート打設後に、前記プレストレス力導入装置における前記中空ＰＣ鋼材により、コンクリート部材またはコンクリート構造物にプレストレスを導入するプレストレス力導入装置の定着構造において、
前記中空ＰＣ鋼材の雄ねじ部に、少なくとも一つの支圧部材を、前記定着ナットから間隔をおいて離して配置し、前記定着ナットと共に定着させたことを特徴とするプレストレス力導入装置の定着構造。
【請求項４】
一方のコンクリート部材またはコンクリート構造物に設けたアンカー孔と、他方の部材に設けたプレストレス力導入装置配置用孔とにわたって、プレストレス力が付与された中空ＰＣ鋼材を備えたプレストレス力導入装置を配置し、前記アンカー孔に、前記中空ＰＣ鋼材の先端部からほぼ中間部に亘って形成された雄ねじ部の先端部に装着した定着ナットを配置するとともに、前記アンカー孔およびプレストレス力導入装置配置用孔とプレストレス力導入装置との間に、充填材を充填・硬化させた後、前記プレストレス力導入装置における前記中空ＰＣ鋼材により、一方のコンクリート部材またはコンクリート構造物と、他方の部材とにプレストレスを導入するように接合するプレストレス式の接合構造において、
前記中空ＰＣ鋼材の雄ねじ部に、少なくとも一つの支圧部材を、前記定着ナットから間隔をおいて離して配置し、前記定着ナットと共に定着させたことを特徴とするプレストレス式の接合構造。
【請求項５】
前記アンカー孔の内周面に、アンカー孔軸方向に沿って所定の間隔を存して複数の係止部を、少なくとも中空ＰＣ鋼材の雄ねじ部範囲に形成したことを特徴とする請求項４に記載のプレストレス式の接合構造。
【請求項６】
コンクリート部材またはコンクリート構造物に削孔したアンカー孔内に、プレストレス力が付与された中空ＰＣ鋼材を備えたプレストレス力導入装置を配置し、前記アンカー孔に、前記中空ＰＣ鋼材の先端部からほぼ中間部に亘って形成された雄ねじ部の先端部に装着した定着ナットを配置するとともに、前記アンカー孔とプレストレス力導入装置との間に、充填材を充填・硬化させた後、前記プレストレス力導入装置における前記中空ＰＣ鋼材により、コンクリート部材またはコンクリート構造物にプレストレスを導入するプレストレス力導入装置の定着方法において、
前記中空ＰＣ鋼材の雄ねじ部に、少なくとも一つの支圧部材を、前記定着ナットから間隔をおいて離して配置し、前記定着ナットと共に定着させたことを特徴とするプレストレス力導入装置の定着方法。
【発明の詳細な説明】
【技術分野】
【０００１】
本発明は、土木建築で多く使われている中空ＰＣ鋼材を備えたプレストレス力導入装置を使用したプレストレス力導入装置、その定着構造およびプレストレス式の接合構造並びにプレストレス力導入装置の定着方法に関する。
【背景技術】
【０００２】
従来の中空ＰＣ鋼材を備えたプレストレス力導入装置の定着構造においては、図７に示すように、中空ＰＣ鋼材２を備えたプレストレス力導入装置１Ａを、コンクリート打設前の構造物築造位置に配置し、前記プレストレス力導入装置１Ａにおけるプレストレス力が付与された中空ＰＣ鋼材２の先端部２ａからほぼ中間部に亘って形成された雄ねじ部３の先端部２ａに、定着ナット４を予め装着するとともに、コンクリート１０の打設硬化後、プレストレス力導入装置１Ａにおける前記中空ＰＣ鋼材により、コンクリート部材またはコンクリート構造物Ｗにプレストレスを導入してなる定着構造が知られている。
【０００３】
また、図８に示すように、既設のコンクリート部材またはコンクリート構造物Ｗに、アンカー孔５を削孔し、このアンカー孔５内に、プレストレス力が付与された中空ＰＣ鋼材２を備えたプレストレス力導入装置１Ａを配置するとともに、アンカー孔５とプレストレス力導入装置１Ａとの間に、モルタル、無収縮コンクリート等の充填材６を充填・硬化させた後、プレストレス力導入装置１Ａにおける中空ＰＣ鋼材２により、既設のコンクリート部材またはコンクリート構造物Ｗにプレストレスを導入してなる定着方法が知られている。
【０００４】
さらに、図９に示すように、既設コンクリート構造物等の一方のコンクリート部材Ｗ１に、コンクリートブロック等の他方の新設コンクリート部材Ｗ２を接合する場合、一方の既設コンクリート部材Ｗ１に設けたアンカー孔５Ａと、他方の新設コンクリート部材Ｗ２に設けたプレストレス力導入装置配置用孔５Ｂとに亘って、プレストレス力が付与された中空ＰＣ鋼材２を備えたプレストレス力導入装置１Ａを配置し、アンカー孔５Ａ及びアンカー孔５Ｂとプレストレス力導入装置１Ａとの間に、充填材６を充填・硬化させた後、プレストレス力導入装置１Ａにおける中空ＰＣ鋼材２により、既設コンクリート部材Ｗ１と、新設コンクリート部材Ｗ２とにプレストレスが導入されるように接合してなる接合構造が知られている。
【０００５】
前記のような形態に使用される中空ＰＣ鋼材２を備えたプレストレス力導入装置１Ａの特徴として、プレストレス導入装置１Ａにおいて使用される材料が高強度材料であり、また、これを埋め込むように充填されるコンクリートまたはモルタルも高強度材料を対象に使用するために、従来は、プレストレス力導入装置１Ａの先端部の雄ねじ部３に装着される定着用ナット４は、厚肉の一つのナットで十分であった。
【０００６】
しかし、上記したいずれのものにおいても、中空ＰＣ鋼材２の定着が、定着ナット４による定着力と雄ねじ部３のねじ山に付着するコンクリートの付着力のみよる支圧力を利用して行われていることから、打設コンクリートの圧縮強度Ｆｃが、３０ＭＰａ以上の圧縮耐力のある高強度コンクリートであれば破壊することはないが、打設コンクリートの圧縮強度Ｆｃが、３０ＭＰａを下回る低強度コンクリートを使用した場合、定着力及び付着力不足により、コンクリートが破壊されてしまう。
また、低強度コンクリートによる既設コンクリートと新設コンクリートとの接合構造では、既設コンクリートの削孔に充填材を充填して定着が行われるが、周囲のコンクリートが低強度コンクリートの場合、高いプレストレス力が導入されたプレストレス力導入装置を開放して中空ＰＣ鋼材によりコンクリートに高いプレストレス力を導入しても、付着が切れたりして十分有効な定着強度が得られない。
しかも、既設コンクリートの強度が低くなると、剪弾力、付着強度、弾性強度などの強度値が低下し、これにより、同じ応力が作用した場合、低強度コンクリートの方が、変形や破壊が生じ易いという問題があった。
【特許文献１】特開２００６−０４５９９７
【発明の開示】
【発明が解決しようとする課題】
【０００７】
そこで、本発明は、前記のようなコンクリート構造物に圧縮プレストレスを導入して補強する場合に、中空ＰＣ鋼材の定着強度を向上させ、低強度コンクリートの使用に対応させることができるプレストレス力導入装置の定着構造を提供することを目的とする。
また、前記のプレストレス力導入装置を利用したプレストレス式の接合構造において、充填材と一方のコンクリート部材との付着を充分期待することができるプレストレス式の接合構造を提供することを目的とする。
さらに、前記のようなコンクリート構造物に圧縮プレストレスを導入して補強する場合に、中空ＰＣ鋼材の定着強度を向上させることができるプレストレス力導入装置の定着方法を提供することを目的とする。
【課題を解決するための手段】
【０００８】
前記の課題を有利に解決するために、第１発明のプレストレス力導入装置においては、プレストレス力が付与された中空ＰＣ鋼材を備え、該中空ＰＣ鋼材の先端部からほぼ中間部に亘って雄ねじ部を形成するとともに、前記中空ＰＣ鋼材の先端部に、定着ナットを装着したプレストレス力導入装置において、前記中空ＰＣ鋼材の雄ねじ部に、少なくとも一つの支圧部材を、前記定着ナットから間隔をおいて離して配置したことを特徴とする。
【０００９】
第２の発明では、第１の発明のプレストレス力導入装置において、前記支圧部材を、前記中空ＰＣ鋼材の雄ねじ部に螺合可能で前記定着ナットよりも薄い薄肉ナットにより構成したことを特徴とする。
【００１０】
第３の発明のプレストレス力導入装置の定着構造においては、コンクリート打設前の構造物に、プレストレス力が付与された中空ＰＣ鋼材を備えたプレストレス力導入装置を配置し、前記中空ＰＣ鋼材の先端部からほぼ中間部に亘って形成1された雄ねじ部の先端部に、定着ナットを螺着するとともに、コンクリート打設後に、前記プレストレス力導入装置における前記中空ＰＣ鋼材により、コンクリート部材またはコンクリート構造物にプレストレスを導入するプレストレス力導入装置の定着構造において、前記中空ＰＣ鋼材の雄ねじ部に、少なくとも一つの支圧部材を、前記定着ナットから間隔をおいて離して配置し、前記定着ナットと共に定着させたことを特徴とする。
【００１１】
第４の発明では、プレストレス式の接合構造においては、一方のコンクリート部材またはコンクリート構造物に設けたアンカー孔と、他方の部材に設けたプレストレス力導入装置配置用孔とにわたって、プレストレス力が付与された中空ＰＣ鋼材を備えたプレストレス力導入装置を配置し、前記アンカー孔に、前記中空ＰＣ鋼材の先端部からほぼ中間部に亘って形成された雄ねじ部の先端部に装着した定着ナットを配置するとともに、前記アンカー孔およびプレストレス力導入装置配置用孔とプレストレス力導入装置との間に、充填材を充填・硬化させた後、前記プレストレス力導入装置における前記中空ＰＣ鋼材により、一方のコンクリート部材またはコンクリート構造物と、他方の部材とにプレストレスを導入するように接合するプレストレス式の接合構造において、前記中空ＰＣ鋼材の雄ねじ部に、少なくとも一つの支圧部材を、前記定着ナットから間隔をおいて離して配置し、前記定着ナットと共に定着させたことを特徴とする。
【００１２】
第５の発明では、第４の発明のプレストレス式の接合構造において、前記アンカー孔の内周面に、アンカー孔軸方向に沿って所定の間隔を存して複数の係止部を、少なくとも中空ＰＣ鋼材の雄ねじ部範囲に形成したことを特徴とする。
【００１３】
第６の発明のプレストレス力導入装置の定着方法においては、コンクリート部材またはコンクリート構造物に削孔したアンカー孔内に、プレストレス力が付与された中空ＰＣ鋼材を備えたプレストレス力導入装置を配置し、前記アンカー孔に、前記中空ＰＣ鋼材の先端部からほぼ中間部に亘って形成された雄ねじ部の先端部に装着した定着ナットを配置するとともに、前記アンカー孔とプレストレス力導入装置との間に、充填材を充填・硬化させた後、前記プレストレス力導入装置の開放により、前記中空ＰＣ鋼材を緊張して、コンクリート部材またはコンクリート構造物にプレストレスを導入するプレストレス力導入装置の定着方法において、前記中空ＰＣ鋼材の雄ねじ部に、少なくとも一つの支圧部材を、前記定着ナットから間隔をおいて離して配置し、前記定着ナットと共に定着させたことを特徴とする。
【発明の効果】
【００１４】
第１発明によると、プレストレス力導入装置における中空ＰＣ鋼材の雄ねじ部に、定着ナットから間隔をおいて離して、少なくとも一つの支圧部材を螺合させることにより、少なくとも定着ナットと支圧部材としたことから、定着面積が大きくなり、支圧力が分散されるとともに、中空ＰＣ鋼材の定着強度を向上させることができる。また、雄ねじ部に支圧部材を装着する簡単な構造のプレストレス力導入装置により定着ナットと支圧部材に応力を分散させて伝達できるプレストレス力導入装置を容易に構成することができる。
第２発明によると、プレストレス力導入装置における中空ＰＣ鋼材の雄ねじ部に、定着ナットから間隔をおいて離して、少なくとも一つの支圧部材としての薄肉ナットを螺合させることにより、少なくともダブルナットとしたことから、定着面積が大きくなり、支圧力が分散されるとともに、中空ＰＣ鋼材の定着強度を向上させることができる。
また、中空ＰＣ鋼材における雄ねじ部のねじ山の数は、コンクリートに付着し中空ＰＣ鋼材の緊張力に抵抗する部分であるが、この雄ねじ部にねじ込まれるナットは、薄肉ナットを用いることにより、必要以上に、ねじ山を減らさずに済むため、薄肉ナットに作用する支圧力も小さくすることができる。
第３発明によると、第１発明の効果を有するプレストレス力導入装置を使用した定着構造であるので、コンクリート構造物あるいは充填する充填材が高強度材料でない場合にも、高い定着強度を確保することができる定着構造とすることができ、高強度でないコンクリート製の既設コンクリート構造物側の変形や破壊を防止することができる。
第４発明によると、第１発明の効果を有するプレストレス力導入装置を使用した定着構造であるので、接合すべき一方あるいは他方のコンクリート構造物あるいは充填する充填材が高強度材料でない場合にも、高い定着強度を確保することができる定着構造とすることができ、高強度でないコンクリート製のコンクリート構造物側の変形や破壊を防止することができる。
第５発明によると、コンクリート部材またはコンクリート構造物に削孔したアンカー孔の内周面に、アンカー孔軸方向に沿って所定の間隔を存して複数の係止部を、少なくとも中空ＰＣ鋼材の雄ねじ部範囲に形成したことから、係止部にも支圧力を分散させることができ、係止効果を高めて定着強度を向上させることができる。
第６発明によると、第１発明の効果を有するプレストレス力導入装置を使用した定着方法であるので、コンクリート構造物あるいは充填する充填材が高強度材料でない場合にも、高い定着強度を確保することができる定着方法とすることができ、高強度でないコンクリート製の既設コンクリート構造物側の変形や破壊を防止することができる。
【発明を実施するための最良の形態】
【００１５】
以下、本発明の実施形態を図１から図５に示す図面に基づいて詳細に説明する。なお、本実施形態において、図７から図９に示す従来構造のものと構成が重複する部分は、同一符号を用いて説明する。
【００１６】
（実施形態１）
図１は、本発明の第１実施形態におけるプレストレス力導入装置の定着構造を示す。
本実施形態のプレストレス力導入装置１は、プレストレス力が付与された中空ＰＣ鋼材２の先端部２ａからほぼ中間部に亘って雄ねじ部３が形成され、その先端部３ａには、定着ナット４がねじ込まれて装着されているとともに、その中間部近傍には、少なくとも一つの支圧部材としての定着ナット４よりも肉薄な薄肉ナット４１が、定着ナット４から雄ねじ軸部の長手方向に間隔をおいて離れた位置にねじ込まれて装着されている。
【００１７】
前記のようなプレストレス力導入装置１をコンクリート部材またはコンクリート構造物Ｗに定着させるには、コンクリート打設前の構造物に、プレストレス力が付与された中空ＰＣ鋼材２を備えたプレストレス力導入装置１を配置し、コンクリート打設することにより行われる。そして、コンクリート打設硬化後に、プレストレス力導入装置１内に配置された反力ＰＣ鋼材の圧縮力を開放することで中空ＰＣ鋼材により、コンクリート部材またはコンクリート構造物Ｗにプレストレスを導入するようになっている。
前記のように、定着ナット４と薄肉ナット４１とを間隔をおいて雄ねじ部３にねじ込まれて装着されていることにより、複数のナットにより定着面積が大きくなり、支圧力が複数のナットに分散されるとともに、中空ＰＣ鋼材の定着強度を向上させることができる。また、定着ナット４だけに極端に支圧力が集中しない効果がある。なお、前記各ナット４、４１に支圧プレートを配置する場合も同様である。
また、中空ＰＣ鋼材における雄ねじ部のねじ山の数は、コンクリートに付着し中空ＰＣ鋼材の緊張力に抵抗する部分として重要であるが、この雄ねじ部にねじ込まれるナットは、薄肉ナットを用いることにより、必要以上に、ねじ山を減らさずに済むため、薄肉ナットに作用する支圧力も小さくすることができる。
なお、プレストレス力導入装置１が長尺の場合などでは、前記の薄肉ナット４１を間隔をおいて２個以上の複数個配置する形態も可能である。
【００１８】
（実施形態２）
図２は、本発明の第２実施形態におけるプレストレス力導入装置の定着構造を示す。
本第２実施形態では、既設のコンクリート部材またはコンクリート構造物Ｗに、アンカー孔５を削孔し、このアンカー孔５内に、プレストレス力が付与された中空ＰＣ鋼材２を備えたプレストレス力導入装置１を配置するとともに、アンカー孔５とプレストレス力導入装置１との間に、モルタル（無収縮モルタルを含む）、無収縮コンクリート等の充填材６を充填・硬化させた後、プレストレス力導入装置１の内に配置された反力ＰＣ鋼材の圧縮力を開放することで中空ＰＣ鋼材により、既設のコンクリート部材またはコンクリート構造物Ｗにプレストレスを導入するようにしている形態である。
【００１９】
（実施形態３）
図３は、本発明の第３実施形態におけるプレストレス式の接合構造を示す。
本第３実施形態では、既設コンクリート構造物等の一方のコンクリート部材Ｗ１に、コンクリートブロック等の他方の新設コンクリート部材Ｗ２を接合する場合、一方の既設コンクリート部材Ｗ１に設けたアンカー孔５Ａと、他方の新設コンクリート部材Ｗ２に設けたプレストレス力導入装置配置用孔５Ｂとに亘って、プレストレス力が付与された中空ＰＣ鋼材２を備えたプレストレス力導入装置１を配置し、アンカー孔５Ａ及び孔５Ｂとプレストレス力導入装置１との間に、充填材６を充填・硬化させた後、プレストレス力導入装置１内に配置された反力ＰＣ鋼材の圧縮力を開放することで相対的に中空ＰＣ鋼材により、既設コンクリート部材Ｗ１と、新設コンクリート部材Ｗ２とにプレストレスを導入するようにした形態である。
【００２０】
（実施形態４）
図４は、本発明の第４実施形態におけるプレストレス力導入装置の定着構造を示す。
本第４実施形態では、上記第２実施形態において、コンクリート部材またはコンクリート構造物Ｗに削孔したアンカー孔５の内周面に、アンカー孔軸方向に沿って所定の間隔を存して係止部となる複数の係止凹溝７を、少なくとも中空ＰＣ鋼材２の雄ねじ部３の範囲に形成してなる構成を有する。このように係止凹溝７を設けることにより充填材６との付着を高め、結果的にプレストレス力導入装置１の定着強度を高めることができる。
【００２１】
（実施形態５）
図５は、本発明の第５実施形態におけるプレストレス式の接合構造を示す。
本第５実施形態では、上記第３実施形態において、上記第４実施形態と同様に、一方の既設コンクリート部材Ｗ１に設けたアンカー孔５Ａの内周面に、アンカー孔軸方向に沿って所定の間隔を存して係止部となる複数の係止凹溝７を、少なくとも中空ＰＣ鋼材２の雄ねじ部３の範囲に形成してなる構成を有する。このような形態では、複数の係止凹溝７により硬化性充填材６とアンカー孔５Ａとの付着を高めることができる。
【００２２】
上記した各実施形態の構成によれば、プレストレス力導入装置１における中空ＰＣ鋼材２の雄ねじ部３に、定着ナット４から間隔をおいて離して、複数の薄肉ナット４１を螺合させることにより、ダブルナットとしたことから、定着面積が大きくなり、支圧力が定着ナット４、雄ねじ部３のねじ山、薄肉ナット４１に分散され、中空ＰＣ鋼材２の定着強度を向上させることができる。
また、中空ＰＣ鋼材２における雄ねじ部のねじ山の数は、緊張力に抵抗し、薄肉ナット４１を用いることにより、必要以上に、ねじ山を減らさずに済むため、薄肉ナット４１に作用する支圧力も小さくすることができる。
さらに、コンクリート部材またはコンクリート構造物Ｗ（またはＷ１）に削孔したアンカー孔５（５Ａ）の内周面に、アンカー孔軸方向に沿って所定の間隔を存して複数の係止凹溝７を、少なくとも中空ＰＣ鋼材２における雄ねじ部３の範囲に形成したことから、係止凹溝７にも支圧力を分散させることができ、係止効果を高めて定着強度を向上させることができる。
【００２３】
なお、上記した第４及び第５実施形態において、コンクリート部材またはコンクリート構造物Ｗ（またはＷ１）に削孔したアンカー孔５（５Ａ）の内周面に形成される係止部として、断面矩形状凹溝としたが、断面形態は、台形状、その他、種々の形態が可能である。
【００２４】
次に、前記の各実施形態において使用する中空部ＰＣ鋼材２を備えたプレストレス力導入装置１の一形態について、図６を参照して説明する。
【００２５】
図６（ａ）は、本発明において使用する一実施形態の中空ＰＣ鋼棒２を使用したコンクリート用のプレストレス力導入装置１の１ユニットの一部切欠側面図を示し、（ｂ）はその縦断側面図を示すものであって、鋼製中空ＰＣ鋼棒本体２ｂの長手方向の一端部（前端部）外側に雄ねじ部９を有すると共に、他端部（後端部）外側に雄ねじ部３を有する中空ＰＣ鋼棒からなる中空ＰＣ鋼材２における前記雄ねじ部３に、前後両端部に雌ねじ孔１１、１２を有すると共に多角形の回動工具係合用外面１３を有する支承筒１４における前端部の雌ねじ孔１１が螺合連結されている。
【００２６】
前記支承筒１４の後端部の雌ねじ孔１２に、鋼製筒状の環状係止片からなるストッパー１５の前部雄ねじ部１６が螺合され、前記ストッパー１５の後端部外側には、回動工具係合用外面１７が形成され、前記ストッパー１５の前端部には、前記支承筒１４の内部に配置され、前端部に凹部１８を有する押圧係止片１９の後端面が係合され、前記押圧係止片１９の前端部の凹部１８には、中空ＰＣ鋼材２内に他端側を除くほぼ全体が挿入され、かつ他端側が前記中空ＰＣ鋼材２の他端部から突出するように配置されたノンプル用反力ＰＣ鋼棒２０の後端部が嵌合されている。なお、前記のノンプルとは、引き抜かない方式で、換言すると据え置き方式の意味である。
【００２７】
この形態においては、１本もののノンプル用反力ＰＣ鋼棒２０により押込み鋼棒を構成しているが、他端側に短尺の撤去用反力ＰＣ鋼棒と前記ノンプル用反力ＰＣ鋼棒２０よりも若干短尺なノンプル用反力ＰＣ鋼棒との２本により押し込み用反力ＰＣ鋼棒２０を構成することも可能である。前記中空ＰＣ鋼材２の前端部外側の雄ねじ９に、雌ねじ部２１を有するアンカー材等としてのナット４が着脱自在に螺合固定され、前記ノンプル用反力ＰＣ鋼棒２０の先端部は前記雌ねじ部２１に連結されている。前記ナット４には雄ねじ部材２２が螺合固定され、前記雄ねじ部材２２により反力ＰＣ鋼棒２０の先端部が支承されている。なお、アンカー用ナット２３は雄ねじ部３にねじ込まれて装着されている。
【００２８】
そして、本発明では、さらに、雄ねじ部９にナット４から離れた位置に離間した状態で、前記ナット４よりも薄肉のナット４１が装着されている。
【００２９】
前記のような構造のプレストレス導入装置１においては、中空ＰＣ鋼材２が緊張された状態でコンクリートに埋め込み固定し、コンクリートの硬化後にストッパ１５を後退移動すると、中空ＰＣ鋼材２により、コンクリートにプレストレスが導入される。
【００３０】
図５に示す状態は、図示省略の油圧ジャッキを備えた枠形フレームにアンカーナット２３を支承するように配置して、前記液圧ジャッキを利用して、その可動ピストンの先端部に係合され、ストッパー１５の中央中空部に挿入される押し込み鋼棒（図示省略）により押圧係止片１９を前記中空ＰＣ鋼材２に向かって移動するように押圧し、前記ノンプル（据置）用反力ＰＣ鋼棒２０を中空ＰＣ鋼材２内に押し込むように圧縮力を導入した後、その状態においてフリーになっている前記支承筒１４またはストッパー１５を前記押圧係止片１９に向かって接近する方向（図６の右方向）に回転させて、前記ストッパー１５を前進移動して、ストッパー１５の前端部を押し込み係止片１９に係合させ、枠形フレームから分離させた状態を示した図である。
【００３１】
なお、符号２４は、防錆を兼ねる経時硬化製樹脂等の接着兼用防錆材で、その硬化により中空ＰＣ鋼材２とノンプル用反力ＰＣ鋼棒２０の一体化を図り、終局耐力の向上を図っている。
【図面の簡単な説明】
【００３２】
【図１】本発明の第１実施形態を示すプレストレス力導入装置の定着構造を示す縦断側面図である。
【図２】本発明の第２実施形態を示すプレストレス力導入装置の定着構造を示す縦断側面図である。
【図３】本発明の第３実施形態を示すプレストレス式の接合構造を示す縦断側面図である。
【図４】本発明の第４実施形態を示すプレストレス力導入装置の定着構造を示す縦断側面図である。
【図５】本発明の第５実施形態を示すプレストレス式の接合構造を示す縦断側面図である。
【図６】（ａ）は、本発明において使用する一実施形態の中空ＰＣ鋼棒を使用したコンクリート用のプレストレス力導入装置の１ユニットの一部切欠側面図、（ｂ）はその縦断側面図である。
【図７】従来のレストレス力導入装置の定着構造を示す縦断側面図である。
【図８】従来の他のレストレス力導入装置の定着構造を示す縦断側面図である。
【図９】従来のプレストレス式の接合構造を示す縦断側面図である。
【符号の説明】
【００３３】
１    プレストレス力導入装置
２    中空ＰＣ鋼材
２ａ  先端部
２ｂ  鋼製中空ＰＣ鋼棒本体
３    雄ねじ部
３ａ  先端部
４    定着ナット（係止部）
５    アンカー孔
５Ａ  アンカー孔
５Ｂ  アンカー孔
６    充填材
７    係止凹溝（係止部）
９  雄ねじ部
１０  雄ねじ部
１１  雌ねじ孔
１２  雌ねじ孔
１３  回動工具係合用外面
１４  支承筒
１５  ストッパー
１６  前部雄ねじ部
１７  回動工具係合用外面
１８  凹部
１９  押圧係止片
２０  ノンプル用反力ＰＣ鋼棒
２１  雌ねじ部
２２  雄ねじ部材
２３  アンカー用ナット
２４  接着兼用防錆材
４１  支圧部材（薄肉ナット）
Ｗ    コンクリート部材
Ｗ１  コンクリート部材
Ｗ２  コンクリート部材
【図１】
2007262808.tif 000003
【図２】
2007262808.tif 000004
【図３】
2007262808.tif 000005
【図４】
2007262808.tif 000006
【図５】
2007262808.tif 000007
【図６】
2007262808.tif 000008
【図７】
2007262808.tif 000009
【図８】
2007262808.tif 000010
【図９】
2007262808.tif 000011